(57)【要約】  ［課題］    少女たちのウルトラミニとルーズソックスは学舎や街中では劣情挑発的であり過ぎる。私は、ショートミディとストッキングに戻したいと思う。しかし、ガードルに進歩がなく、普通のストッキングをその少女たちに今直ぐ勧めえない。ガードルに新工夫をしたい。そして、それを一般のミズたちにも普遍させたい。  ［解決手段］    ストッキングガードルとして、パンティーにおいて、股の前から後ろに回ってかけて、縦にライン状のスリットを入れて、そこに、ファスナーなどを設けて、用便の折などに、ファスナーを開けて、着用したまま、用を達しうるようにして、それにストッキング吊り紐を設けた、また、加えて簡単な腰ベルトを設けることもある、ファスナーパンティーガードルと呼ぶことにする、股前後ろ開きパンティー兼ガードル。【選択図】    なし。【特許請求の範囲】
【請求項１】
ブリーフやパンティーなどにおいて、股の前から後ろに回ってかけて、縦にライン状のスリットを入れて、そこに、ファスナーなどを設けて、用便の折などに、ファスナーを開いて、着用したまま、用を達しうるようにした、ファスナー（ｏｒジッパーｏｒチャック）ブリーフとかファスナー（ｏｒジッパーｏｒチャック）パンティーとか呼ぶことにする、股前後ろ開き裳肌着。
【請求項２】
「つなぎ衣裳」（Ｏｖｅｒａｌｌｓ＝胸当て付き作業ズボンやＪｕｍｐｓｕｉｔ＝ブラウス（シャツ）とズボンが繋がった男女簡略衣裳やＣｏｍｂｉｎａｔｉｏｎｓ＝シャツにズボン下を繋げた下着）において、衣の前開きから裳の前から後ろ回ってかけた開きを連繋して、衣にはオープンファスナーを裳には普通のファスナーを設けた、「請求項１」における「チャックブリーフやファスナーパンティー」などと共に着用して、着用したまま、チャックを開いて、用便を達しうるようにした、ファスナー（ｏｒジッパーｏｒチャック）オーバーオールスとかファスナー（ｏｒジッパーｏｒチャック）ジャンプスーツとかファスナー（ｏｒジッパーｏｒチャック）コンビネーションとかと呼ぶことにする、裳部股前後ろ開き上着衣裳。
【請求項３】
ストッキング用ガードルとして、「請求項１」のファスナーパンティーにストッキング吊り紐を設けた、また、加えて簡単な腰ベルトを設けることもある、着用したまま、ファスナーを開いて、用便を達しうるようにした、ファスナー（ｏｒジッパーｏｒチャック）パンティーガードルと呼ぶことにする、股前後ろ開きパンティー兼ガードル。
【請求項４】
ストッキングにおいて、「請求項３」における「ファスナーパンティーガードル」に適するように、上端部の際から１５ｍｍくらい下がった所から下にゴムを軽めに織り込んだ、絹などのガードル用ストッキング。
【請求項５】
スラックスやパンタロンなどのズボン類において、前開きを後ろまで回って延ばして設け、用便の折などに、ファスナーを開いて、着用のまま、用を達するようにした、主として、上にショートスカートを重ねて着用する場合に、下には「請求項１」における「ファスナーパンティー」を着用して着用する、ファスナー（ｏｒジッパーｏｒチャック）スラックスと言うように呼ぶことにする、股前後ろ開きズボン類。
【発明の詳細な説明】
【発明の詳細な説明】
私は、先日の小学６年生少女の誘拐事件をテレビで視て改めて知ったのであるが、一般に、少女の服装や髪型や化粧などが成人の女性の装いに近いものになっている。その現在のセクシュアル傾向から「知的化」の方向に変転して行かなくてはならないと思った。
繊維産業の川上から川下までの各産業が、海外の各同業者も含めて、子度らしく然も知的な各用途の子供服のデザイン・設計・制作のそれぞれにおける、十分な歴史的考察に基づいた創作に、意欲的な老若男女が大勢参戦してくれることを期待している。
それにしても、多くの割合の少女たちが超ミニスカートとルーズソックスのスタイルで素足を見せつけて、成人男性の劣情を刺激していることは、今日の「人のみち退廃化」の一つの象徴的な街中の現象である。
スカートはショートミディ化し、ルーズソックスはストッキングに代えて行きたいと思った次第である。
しかし、これまで、ストッキングのずり落ちを防止するに好ましい方法がなく、遂に、パンティーストッキングの発明となっていたのであるが、パンティー部の上にスカートを留め付けなくてはならず、用便の度に、臀を出し入れすることは面倒臭かった。特に、夏季の蒸し暑いトイレでは、報える作業であった。
そこで、従来のガードルを習慣とは逆にして、パンティーの下に着けて、浅いパンティーで下げ上げしたいのであるが、吊り紐が張って、パンティーの着用状態を邪魔して上手く行かないし格好も悪くなる。
そこで、インテリナイズガールたちに、是非、便利なガードルを提供したいと発明したのが、本発明のファスナーパンティーガードルである。
勿論、これは、成人女性にも、広く使用して貰えよう。以前のジーンズナイズから、女性にスラックスやパンタロンが浸透して来ている。
そして、オフイスミズには、スーツが浸透し、然も、ノンブラウス化がスタンダードナイズして来たのであるが、それに伴うストッキングに革新が無く、裳はズボンナイズが進んでいるようである。
しかし、ズボンにはすっきりした折り目が必要であるが、ノンタックでもたっく付きでもその折り目に適当なスタート地点が与えられていない。機能性も考慮して、この問題を上手に解決しないと、ズボンは背広などで隠さないと、なかなかすっきりとはしないものである。
しっかりしたストッキングシステムが完成すれば、再び、スカートに創意工夫が投入される可能性は極めて高いと、私は、本発明に期待している。
ズボン物では、本発明の「つなぎ衣裳」にデザイナーの創意が集まる可能性が高いと期待している。
私は、曾て、ナガイ衣工と言う縫製実験工場をやって直ぐ潰れたが、その時折細いスラックスの上にスカートを縫い付けた。なかなかしゃれたものであった。これを、一体化式からセパレートの重ね着式に改めて、ズボン類は本発明のファスナーズボン類で行って見たい。
また、外出用の本発明の「ファスナーつなぎ衣裳」には、重ねて着用する「飾りスカート」を取り合わせて見てはと思っている。
そして、本発明に使用するストッキングは、絹製を主体とすることは出来ないかと思っている。と言うのは、現在のナイロンストッキング特にナイロンパンストでは、夏季の厳しい国や地域では、蒸れて、不快であろうと、ノンストッキングを可能とする、刈毛機械と脚専用化粧品は出来ないかと考えたが、良案が出なかった。今のところ、シルクストッキングとファスナーパンティーガーターの組み合わせで行く以外にないと思っている。
夏季の猛暑地帯には、世界人口の大多数が集中している。そして、戦前の「シームシルク」の時代とは極めて異なって、その地帯は大いに経済発展した。本発明用の「ヌーベルシルク」には、莫大な需要が望める時代となっている。
私は、曾て、蚕の自然飼いを思い付き、フィリピンなどの無人島開発に夢を持ったことがある。桑の木を莫大に自然栽培して、蚕を放つのである。勿論、幼虫は人工孵化させる。養蚕知識の深い人は、このシステムを実用化することに挑戦して見てほしい。
絹は、いろんな染剤・染料に易しい。種々なコーディネイトを可能とする色々な深みのある色彩を出せる工夫をメーカーに期待したい。
一日に２〜３億組は出る時代が来ると思える。一組３００〜５００円で市場供給できるとすれば、２１．９兆円から５４．７５兆円の範囲内の年間市場規模にも昇る。
自然と農業を愛する膨大な青年諸君の養蚕適地の探検と開拓への真摯な熱情を期待している。
Ｔｈｅｒｅ  ｉｓ  ｍｕｃｈ  ｔｈａｔ  ｌｉｅｓ  ｗｉｔｈｉｎ  ｔｈｅ  ｒｅａｃｈ，Ｏｆ  ｌｉｆｅ  ｉｎ  ｅｖｅｒｙ  ｆｉｅｌｄ；  Ｗｈｉｃｈ  ｉｆ  ｉｎｔｅｌｌｉｇｅｎｔｌｙ  ｔｉｌｌｅｄ，Ｗｉｌｌ  ａ  ｒｉｃｈ  ｈａｒｖｅｓｔ  ｙｉｅｌｄ．
つまり、挑み掛かる希望と意志さえあれば、この地球上には、豊かに稔る未開の分野は尽きることなく存在し続ける。
私たちは、このサムエルウルマンの言葉を燃えるような大志で以て実現し続けたいものである。